(57)【要約】【課題】ダイヤフラム全面を押し当てることなく、感度良く患者の心拍音を聴診することが可能な聴診器を提供する。【課題手段】本発明の聴診器１は、ダイヤフラムが張設されるヘッド１０と、ヘッド１０に接続される導管１５と、導管１５に接続され、イヤーチップ１７ａを備えた耳管１７とを有している。そして、ダイヤフラムには、患部に押し当てて心拍音をダイヤフラムに伝達する音伝達用の突起２５が支持されていることを特徴とする。【選択図】  図１
2007061284.tif 000002
【特許請求の範囲】
【請求項１】
ダイヤフラムが張設されるヘッドと、ヘッドに接続される導管と、導管に接続され、イヤーチップを備えた耳管とを有する聴診器であって、
前記ダイヤフラムには、患部に押し当てて心拍音をダイヤフラムに伝達する音伝達用の突起が支持されていることを特徴とする聴診器。
【請求項２】
前記ヘッドには、ダイヤフラムの表面側に、枠体と一体化されたシールドが装着されており、前記シールドには、前記突起を所定の隙間を介して突出させる開口が形成されていることを特徴とする請求項１に記載の聴診器。
【請求項３】
前記ヘッドには、患部に当接可能な複数の支持突起が設けられていることを特徴とする請求項１又は２に記載の聴診器。
【請求項４】
前記ダイヤフラムの表面又はシールドの表面に断熱材を取着したことを特徴とする請求項１から３のいずれか１項に記載の聴診器。
【請求項５】
前記ヘッドのダイヤフラム張設側に、キャップを着脱可能にしたことを特徴とする請求項１から４のいずれか１項に記載の聴診器。
【請求項６】
聴診器のヘッドに装着可能なダイヤフラムであって、患部の音をダイヤフラムに伝達可能にする突起が支持されていることを特徴とするダイヤフラム。
【発明の詳細な説明】
【技術分野】
【０００１】
本発明は、聴診器に関し、特に、ヘッド部分に特徴を備えた聴診器に関する。
【背景技術】
【０００２】
従来、聴診器は、患者の心拍音を聴くためのヘッドと、ヘッドに接続される導管と、導管に接続され、イヤーチップを備えた耳管とを備えて構成されている。前記ヘッドは、例えば、特許文献１や特許文献２に開示されているように、枠体に張設される振動板（ダイヤフラムとも称する）を備えている。そして、このダイヤフラムを患者の胸部等に押し当てることで、患者の心拍音によってダイヤフラムが振動し、これが前記導管、耳管、及びイヤーチップの順で伝達されて、最終的にイヤーチップを挿入した医師の耳に達する。
【０００３】
なお、上記した文献に開示されている聴診器は、患者の胸部に押し当てられダイヤフラムの表面にカバーを取着することで、衛生面の向上（専ら院内感染の防止）を図るようにしている。
【特許文献１】特開２０００−１７５９０８号
【特許文献２】特表２００２−５１４１１５号
【発明の開示】
【発明が解決しようとする課題】
【０００４】
上記した聴診器を用いた診察は、一般的に、患者は上半身を裸にしたり、下着を捲り上げたりしており、患者によっては、このような行為を好まない場合がある。ことろが、従来の聴診器では、例えば、下着を着けたまま聴診すると、ダイヤフラムが振動し難くなることから、音が伝わり難くなり（感度が低下する）、適正な診断を行なうことはできない。さらに、聴診器のダイヤフラム全面を直接、患者の皮膚に押し当てると、患者にとっては冷たく感じたり、或いは不潔感を感じることもある。
【０００５】
本発明は、上記した問題点に着目してなされたものであり、ダイヤフラム全面を押し当てることなく、感度良く患者の心拍音を聴診するが可能な聴診器を提供することを目的とする。  
また、本発明は、患者に冷たい感触や不潔感を与えることの無い聴診器を提供することを目的とする。
【課題を解決するための手段】
【０００６】
上記した目的を達成するために、本発明に係る聴診器は、ダイヤフラムが張設されるヘッドと、ヘッドに接続される導管と、導管に接続され、イヤーチップを備えた耳管とを有しており、前記ダイヤフラムには、患部に押し当てて心拍音をダイヤフラムに伝達する音伝達用の突起が支持されていることを特徴とする。
【０００７】
上記した構成の聴診器においては、ヘッド部分を患者の患部に押し当てると、患者の心拍音は、突起を介して取得され、その音は、突起を支持したダイヤフラムに伝わり、さらに、導管、耳管、イヤーチップの順で伝達され、イヤーチップを挿入した医師の耳にまで達する。この場合、小さい面積の突起で取得する心拍音（振動）は、その突起を支持しているダイヤフラムに伝わって増幅作用を受けることから、下着を着衣した状態であったとしても突起を患部に押し当てることで、その心拍音を増幅させて伝達することができ、イヤーチップを介して聴き取る心拍音の感度（聴取り音）を向上することが可能になる。
【０００８】
上記した構成においては、ヘッド部分のダイヤフラムの表面側に、枠体と一体化したシールドを装着しておくことが好ましい。このような枠体と一体化されたシールドによれば、本体に対する装着を容易に行なうことが可能になると共に、ダイヤフラムを保護することが可能になる。
【０００９】
また、前記ヘッドに、患部に当接可能な複数の支持突起を設けておくことが好ましい。このような支持突起を設けておくことで、ヘッドをふらつかせることなく、突起を安定した状態（患部の表面とダイヤフラムとを平行に保つ）で患部に押し当てることが可能となる。
【００１０】
また、前記ダイヤフラムの表面又はシールドの表面に断熱材を取着しておくことが好ましい。このような断熱材を介在しておくことで、患者に対して、冷たさを和らげることが可能になる。
【００１１】
また、前記ヘッドのダイヤフラム張設側に、キャップを着脱可能にしておくことが好ましい。このようなキャップは、患者毎に取り替えることが可能であることから、清潔感を向上できると共に、感染症を防止することが可能となる。
【００１２】
また、上記したような突起を支持したダイヤフラムについては、本体と別体で構成し、本体に対して着脱可能に構成しておくことが好ましい。
【発明の効果】
【００１３】
本発明によれば、聴診器のヘッドに張設されるダイヤフラム全面を、患者の患部に押し当てることなく、感度良く心拍音を聴診することが可能な聴診器が得られる。
【発明を実施するための最良の形態】
【００１４】
図１及び図２は、本発明に係る聴診器の第１の実施形態を示す図であり、図１は聴診器の全体構成を示す図、図２はヘッド部分の構造を示す分解斜視図である。
【００１５】
本実施形態に係る聴診器１は、患者の心拍音を聴くように患部に押し付けられるヘッド１０と、ヘッド１０に形成される導管接続口１１に接続される導管１５と、導管に接続され、イヤーチップ１７ａを備えた耳管１７とを備えて構成されている。
【００１６】
前記ヘッド１０は、図２に示すように、内部が空洞にされた略円錐台形状の本体２０を備えており、この本体２０に前記導管接続口１１が形成されている。本体２０の円形の開口端側にはリム２１が形成されており、この部分にダイヤフラム２２が張設されている。この場合、ダイヤフラム２２が張設されるリム２１については、本体２０に対して着脱可能に構成されていても良いし、一体的に取着されていても良い。或いは、ダイヤフラム２２は、直接本体２０に張設されていても良い。
【００１７】
前記ダイヤフラム２２の中央部には、開口２２ａが形成されており、この部分に、所定の高さを有する突起２５が支持されている。この突起２５は、患部に押し当てられた際、心拍音をダイヤフラム２２に伝達する機能を備えたものであれば良く、例えば、プラスチック等の合成樹脂によって形成される。この場合、突起２５の先端は、患部に押し当てられる部分でもあることから、当たりを和らげるように、ドーム状に湾曲形成しておくことが好ましい。また、突起２５は、心拍音を効果的にダイヤフラムに伝達できるように、例えば、内部を空洞状に形成したり、或いは先端に開口を形成しておいても良い。
【００１８】
上記したように、本体２０に対して張設されるダイヤフラム２２には、更に、ダイヤフラムを保護するように、シールド部材３０が取着されるようになっている。シールド部材３０は、図２に示すように、カバーとなる円形のシールド材３１（例えば、真鍮等によって形成される）と、円形の枠体（外枠）３２とによって構成されており、これらは、好ましくは一体化されている。すなわち、このように一体化されたシールド部材３０が、本体２０に対して装着されるようになっている（シールド部材３０は、本体２０に対して、例えば、ネジによる螺合等によって着脱可能であっても良い）。
【００１９】
なお、シールド部材３０のシールド材３１の中央には、前記突起２５が接触しないような大きさの開口３１ａが形成されており、前記突起２５を所定の隙間を介して突出させるようになっている。すなわち、突起２５によって取得される心拍音については、シールド材３１に伝達されることはなく、感度が低下しないように構成されている。
【００２０】
上記したように構成される聴診器によれば、患者の心拍音は、突起２５を介して取得され、その音は、突起を支持したダイヤフラム２２に伝わり、さらに導管接続口１１、導管１５、耳管１７、イヤーチップ１７ａの順で伝達され、イヤーチップ１７ａを挿入した医師の耳にまで達する。この場合、突起２５で取得される心拍音が小さい振動であっても、そこで取得された心拍音は、ダイヤフラム２２で増幅作用を受けることから、心拍音を聴き取り易い環境であっても、その音を効果的に増幅することができ、結果として心拍音の感度（聴取り音の大きさ）を向上することが可能になる。このように、感度の向上が図れることから、患者が着衣している下着の上からでも心拍音を検知することが可能となり、患者（特に女性患者）にとっては好まない上半身を裸にする行為を促す必要も無く、更には衣服を捲り上げるなどの手間を掛けさせることもない。
【００２１】
また、上記したようにシールド部材３０を、外枠３２とシールド材３１で一体化したことから、汚れや破損等した場合、取替え作業が容易に行なえるようになる。
【００２２】
図３は、本発明の第２の実施形態を示す図であり、ヘッド部分を示す斜視図である。  
この実施形態では、前記第１の実施形態におけるヘッド１０に装着されるシールド材３１の周縁部に、複数個（略１２０°間隔で３個）の支持突起４０を設けている。この支持突起４０は、前記中央の突起２５と同じ高さか、それよりも低く形成されており、このような支持突起４０を設けておくことで、ヘッド１０をふらつかせることなく、前記突起２５を安定した状態（患部の表面とダイヤフラムとを平行に保つ）で患部に押し当てることができ、安定した状態で心拍音を取得することができる。
【００２３】
図４及び図５は、本発明の第３の実施形態を示す図であり、図４は、断熱材の構成を示す斜視図、図５は、断熱材を取着したヘッド部分を示す斜視図である。
【００２４】
この実施形態では、上述した第１の実施形態のヘッド１０に装着されるシールド材３１の周縁部に輪帯形状の断熱材５０を取着している。上記した第１の実施形態の構成では、患者の患部に直接、シールド材３１、或いはシールド材が無い構成では、ダイヤフラムが接触することがある。このような構成では、患者に冷たい感覚を与えるため、本実施形態のように、患部と接触する位置（突起２５を中心として周辺領域）に断熱材５０を取着しておくことで、患者に冷たい感覚を与えることを防止することができる。なお、断熱材５０は、冷たさを感じさせない材料、例えば、発泡ポリウレタン、ゴム等によって構成すれば良い。
【００２５】
図６及び図７は、本発明の第４の実施形態を示す図であり、図６は、使い捨て可能なキャップ部材の構成を示す斜視図、図７は、キャップ部材を取着したヘッド部分を示す斜視図である。
【００２６】
上記した聴診器のヘッド部分は、患者の患部等に押し当てられるため、清潔感の維持、感染症の防止などの面から、患者に対する当て付け部分は、使い捨て可能となっていることが好ましい。
【００２７】
本実施形態においては、シャワーキャップのようにヘッド１０の聴診側を覆うキャップ状のカバー６０を患者毎に取り替えるようにしている。すなわち、カバー６０に設けられた弾性変形可能な装着リング６１を押し広げることで、カバー６０を着脱することが可能となっており、患者毎に、カバー６０を取り替えることで、清潔感を維持するようにしている。この場合、カバーについては、不織布で構成したり、或いは、雑音を少なくするように、樹脂、ビニール等で構成することが可能である。
【００２８】
以上、本発明の実施形態について説明したが、本発明は、上記した実施形態に限定されることはなく、種々変形することが可能である。本発明は、ダイヤフラム２２に、心拍音を取得するように患部に押し当てられる突起２５が支持されたものであれば良く、突起２５の個数、支持位置については、適宜変形することが可能である。また、ヘッド１０に関しても、例えば、ダイヤフラム２２を対向して複数枚、張設して両側で心拍音を取得できるようにする等、その構成については、適宜変形することが可能である。さらに、シールド部材３０のヘッド１０に対する装着方法や支持突起を設ける位置等についても適宜変形することが可能である。
【図面の簡単な説明】
【００２９】
【図１】本発明に係る聴診器の第１の実施形態を示す図であり、聴診器の全体構成を示す図。
【図２】図１に示す聴診器において、ヘッド部分の構造を示す分解斜視図。
【図３】本発明の第２の実施形態を示す図であり、ヘッド部分を示す斜視図。
【図４】本発明の第３の実施形態を示す図であり、断熱材の構成を示す斜視図。
【図５】図４に示す断熱材を取着したヘッド部分を示す斜視図。
【図６】本発明の第４の実施形態を示す図であり、使い捨て可能なキャップ部材の構成を示す斜視図。
【図７】図６に示したキャップ部材を取着したヘッド部分を示す斜視図。
【符号の説明】
【００３０】
１  聴診器
１０  ヘッド
１１  導管接続口
１５  導管
１７  耳管
１７ａ  イヤーチップ
２２  ダイヤフラム
２５  突起
３０  シールド部材
３１  シールド材
３２  枠体
４０  支持突起
５０  断熱材
６０  カバー
【図１】
2007061284.tif 000003
【図２】
2007061284.tif 000004
【図３】
2007061284.tif 000005
【図４】
2007061284.tif 000006
【図５】
2007061284.tif 000007
【図６】
2007061284.tif 000008
【図７】
2007061284.tif 000009